(57)【特許請求の範囲】
【請求項１】
被調整機器に設けられた表示画面に表示する画像の画歪みを調整するための調整データを記録するメモリと、当該メモリより読み出された上記調整データに応じて調整検査用画像を補正する画歪補正部とを有する上記被調整機器についての上記画歪みを調整し検査する画歪調整検査装置において、
上記被調整機器の上記表示画面に表示される２次元的に配置された複数の測定点を有する上記調整検査用画像を撮影する撮影手段と、
上記撮影手段によつて撮影した上記調整検査用画像を画像処理して画像データを得る画像処理手段と、
上記画像処理手段から得られる上記画像データを基に上記メモリに記録されている上記調整データを書き換える画歪調整検査手段と
を具え、
上記画歪調整検査手段は、
上記画像処理手段から得られる上記画像データを基に上記各測定点の２次元座標データを計測した後、当該計測結果を基に、上記画歪みに対する複数の調整項目についての上記調整データの値を演算し、当該演算した上記調整データの値がそれぞれ対応する上記調整項目に対して決められている規格値に適合しているか否かを判定するようにして、
全ての上記調整項目についての上記調整データの値がそれぞれ対応する上記規格値に適合した場合には、当該全ての上記調整項目についての上記規格値に適合した上記調整データを上記メモリに記録し、
何れかの上記調整項目についての上記調整データの値が対応する上記規格値に適合しない場合には、当該規格値に適合しない上記調整データを、対応する上記規格値に適合すると予測される適合予測調整データに変換し、上記全ての上記調整項目についての上記規格値に適合した上記調整データ及び上記適合予測調整データを上記画歪補正部に供給して上記全ての上記調整項目についての上記調整データの値がそれぞれ対応する上記規格値に適合するまで当該全ての上記調整項目について一括して上記計測、演算及び判定を繰り返しながら、上記画歪みに対する複数の上記調整項目のうち、上記調整検査用画像の周辺上部糸巻歪み及び周辺下部糸巻歪みを調整するための第１の調整項目と、当該調整検査用画像の周辺部コーナー糸巻歪みを調整するための第２の調整項目とについては上記第１の調整項目について調整して次に上記第２の調整項目について調整する優先順序で、当該第１の調整項目についての上記調整データの値が上記規格値に適合しないと判定すると、次に上記第２の調整項目についての調整を行うことなく、さらに次の別の上記調整項目についての調整を行う
ことを特徴とする画歪調整検査装置。
【請求項２】
上記画歪調整検査手段は、
何れかの上記調整項目についての上記調整データの値が対応する上記規格値に適合しない場合には、上記全ての上記調整項目についての上記調整データの値がそれぞれ対応する上記規格値に適合するまで当該全ての上記調整項目について一括して上記計測、演算及び判定を繰り返しながら、上記画歪みに対する上記複数の調整項目のうち、上記調整検査用画像の垂直直線性歪みを調整するための第３の調整項目と、当該調整検査用画像のＳ字歪みを調整するための第４の調整項目とについては上記第３の調整項目について調整して次に上記第４の調整項目について調整する優先順序で、当該第３の調整項目についての上記調整データの値が上記規格値に適合しないと判定すると、次に上記第４の調整項目についての調整を行うことなく、さらに次の別の上記調整項目についての調整を行う
ことを特徴とする請求項１に記載の画歪調整検査装置。
【請求項３】
被調整機器に設けられた表示画面に表示する画像の画歪みを調整するための調整データを記録するメモリと、当該メモリより読み出された上記調整データに応じて調整検査用画像を補正する画歪補正部とを有する上記被調整機器についての上記画歪みを調整し検査する画歪調整検査方法において、
上記被調整機器の上記表示画面に表示される２次元的に配置された複数の測定点を有する上記調整検査用画像を撮影し、
上記撮影した上記調整検査用画像を画像処理して画像データを生成し、
上記画像データを基に上記各測定点の２次元座標データを計測した後、当該計測結果を基に、上記画歪みに対する複数の調整項目についての上記調整データの値を演算し、当該演算した上記調整データの値がそれぞれ対応する上記調整項目に対して決められている規格値に適合しているか否かを判定し、
全ての上記調整項目についての上記調整データの値がそれぞれ対応する上記規格値に適合した場合には、当該全ての上記調整項目についての上記規格値に適合した上記調整データを上記メモリに記録し、何れかの上記調整項目についての上記調整データの値が対応する上記規格値に適合しない場合には、当該規格値に適合しない上記調整データを、対応する上記規格値に適合すると予測される適合予測調整データに変換して、上記全ての上記調整項目についての上記規格値に適合した上記調整データ及び上記適合予測調整データを上記画歪補正部に供給して上記全ての上記調整項目についての上記調整データの値がそれぞれ対応する上記規格値に適合するまで当該全ての上記調整項目について一括して上記計測、演算及び判定を繰り返しながら、上記画歪みに対する複数の上記調整項目のうち、上記調整検査用画像の周辺上部糸巻歪み及び周辺下部糸巻歪みを調整するための第１の調整項目と、当該調整検査用画像の周辺部コーナー糸巻歪みを調整するための第２の調整項目とについては上記第１の調整項目について調整して次に上記第２の調整項目について調整する優先順序で、当該第１の調整項目についての上記調整データの値が上記規格値に適合しないと判定すると、次に上記第２の調整項目についての調整を行うことなく、さらに次の別の上記調整項目についての調整を行う
ことを特徴とする画歪調整検査方法。
【請求項４】
何れかの上記調整項目についての上記調整データの値が対応する上記規格値に適合しない場合には、上記全ての上記調整項目についての上記調整データの値がそれぞれ対応する上記規格値に適合するまで当該全ての上記調整項目について一括して上記計測、演算及び判定を繰り返しながら、上記画歪みに対する上記複数の調整項目のうち、上記調整検査用画像の垂直直線性歪みを調整するための第３の調整項目と、当該調整検査用画像のＳ字歪みを調整するための第４の調整項目とについては上記第３の調整項目について調整して次に上記第４の調整項目について調整する優先順序で、当該第３の調整項目についての上記調整データの値が上記規格値に適合しないと判定すると、次に上記第４の調整項目についての調整を行うことなく、さらに次の別の上記調整項目についての調整を行う
ことを特徴とする請求項３に記載の画歪調整検査方法。
【発明の詳細な説明】
【０００１】
【目次】
以下の順序で本発明を説明する。
産業上の利用分野
従来の技術
発明が解決しようとする課題
課題を解決するための手段（図２〜図６）
作用（図２〜図６）
実施例（図１〜図６）
発明の効果
【０００２】
【産業上の利用分野】
本発明は画歪調整検査装置及び画歪調整検査方法に関し、例えばテレビジヨン（ＴＶ）の画質を決定する１要素としての画歪みを調整する際の画歪調整検査装置及び画歪調整検査方法に適用して好適なものである。
【０００３】
【従来の技術】
従来、機械的なボリユームを有するテレビジヨン等の被調整機器においては、人がボリユームを回すことにより画歪みを調整するようになされていた。この場合、同時に調整できるボリユームの数は２個に限定されるため、調整に多大な時間がかかる問題があつた。
【０００４】
このような問題を解決する１つの方法として、機械的なボリユームに代えて電気的にデイジタル化されたデータを保持する被調整機器がある。このような被調整機器は、デイジタル化されたボリユーム値（画歪みを調整する調整データ）を記録する不揮発性のメモリと、当該メモリからボリユーム値を読み込んでデイジタルアナログ変換し、画歪みを調整するための調整検査用画像を被調整機器の表示画面に表示させる集積回路（ＩＣ）でなる画歪補正部が搭載されている。
【０００５】
この場合、被調整機器の画歪みを調整する画歪調整検査装置は被調整機器の画歪補正部を直接制御することにより画歪みについての各調整項目を調整し、当該各調整項目が所定の規格に適合した後、そのときのボリユーム値を被調整機器のメモリにデイジタルデータとして書き込んで調整を終了する。
【０００６】
【発明が解決しようとする課題】
ところでこの種の画歪調整検査装置では、各調整項目間で互いに影響を与え合う被調整機器を調整する場合、調整項目毎に測定、計算、判定、調整といつた一連の処理を実行している。このため全ての調整項目が所定の規格内に適合するまで多大な時間を要し、また各調整項目についての調整結果が良くないという問題があつた。
【０００７】
本発明は以上の点を考慮してなされたもので、調整項目の調整時間を短縮しかつ調整結果を向上し得る画歪調整検査装置及び画歪調整検査方法を提案しようとするものである。
【０００８】
【課題を解決するための手段】
かかる課題を解決するため本発明においては、画歪調整検査装置に対して、被調整機器の表示画面に表示される２次元的に配置された複数の測定点を有する調整検査用画像を撮影する撮影手段と、当該撮影手段によつて撮影した調整検査用画像を画像処理して画像データを得る画像処理手段と、画像処理手段から得られる画像データを基にメモリに記録されている調整データを書き換える画歪調整検査手段とを設けるようにし、当該画歪調整検査手段により、画像処理手段から得られる画像データを基に各測定点の２次元座標データを計測した後、当該計測結果を基に、画歪みに対する複数の調整項目についての調整データの値を演算し、当該演算した調整データの値がそれぞれ対応する調整項目に対して決められている規格値に適合しているか否かを判定するようにして、全ての調整項目についての調整データの値がそれぞれ対応する規格値に適合した場合には、当該全ての調整項目についての規格値に適合した調整データをメモリに記録し、何れかの調整項目についての調整データの値が対応する規格値に適合しない場合には、当該規格値に適合しない調整データを、対応する規格値に適合すると予測される適合予測調整データに変換して、全ての調整項目についての規格値に適合した調整データ及び適合予測調整データを画歪補正部に供給して全ての調整項目についての調整データの値がそれぞれ対応する規格値に適合するまで当該全ての調整項目について一括して計測、演算及び判定を繰り返しながら、画歪みに対する複数の調整項目のうち、調整検査用画像の周辺上部糸巻歪み及び周辺下部糸巻歪みを調整するための第１の調整項目と、当該調整検査用画像の周辺部コーナー糸巻歪みを調整するための第２の調整項目とについては第１の調整項目について調整して次に第２の調整項目について調整する優先順序で、当該第１の調整項目についての調整データの値が規格値に適合しないと判定すると、次に第２の調整項目についての調整を行うことなく、さらに次の別の調整項目についての調整を行うようにした。
【０００９】
また本発明においては、画歪調整検査方法において、被調整機器の表示画面に表示される２次元的に配置された複数の測定点を有する調整検査用画像を撮影して画像処理することにより画像データを生成し、当該生成した画像データを基に各測定点の２次元座標データを計測した後、当該計測結果を基に、画歪みに対する複数の調整項目についての調整データの値を演算し、当該演算した調整データの値がそれぞれ対応する調整項目に対して決められている規格値に適合しているか否かを判定し、全ての調整項目についての調整データの値がそれぞれ対応する規格値に適合した場合には、当該全ての調整項目についての規格値に適合した調整データをメモリに記録し、何れかの調整項目についての調整データの値が対応する規格値に適合しない場合には、当該規格値に適合しない調整データを、対応する規格値に適合すると予測される適合予測調整データに変換して、全ての調整項目についての規格値に適合した調整データ及び適合予測調整データを画歪補正部に供給して全ての調整項目についての調整データの値がそれぞれ対応する規格値に適合するまで当該全ての調整項目について一括して計測、演算及び判定を繰り返しながら、画歪みに対する複数の調整項目のうち、調整検査用画像の周辺上部糸巻歪み及び周辺下部糸巻歪みを調整するための第１の調整項目と、当該調整検査用画像の周辺部コーナー糸巻歪みを調整するための第２の調整項目とについては第１の調整項目について調整して次に第２の調整項目について調整する優先順序で、当該第１の調整項目についての調整データの値が規格値に適合しないと判定すると、次に第２の調整項目についての調整を行うことなく、さらに次の別の調整項目についての調整を行うようにした。
【００１０】
【作用】
従つて、所定の被調整機器の画歪みに対する全ての調整項目のうち、特定の第１及び第２の調整項目についてはその優先順次に従い、先に調整する第１の調整項目についての調整データの値が規格値に適合しないと判定すると、次の第２の調整項目についての調整データの値に対する判定を行わないようにして、全ての調整項目の調整データの値が規格値に適合するまで一括して調整するようにしたことにより、全ての調整項目の調整データの値を一度に所定の規格値に適合させることができる。
【００１１】
【実施例】
以下図面について、本発明の一実施例を詳述する。
【００１２】
図１において、１は全体として本発明の実施例による画歪調整検査装置を示し、被調整機器として半製品のテレビジヨン（ＴＶ）２の画歪みを調整するようになされている。
画歪調整検査装置１は、ＣＰＵ３、画像処理部４及びバスインタフエース５より構成されている。ＣＰＵ３は例えばテレビジヨン２の画質を決定する１要素としての画歪みを調整するための複数の調整項目（後述する）についての調整データ（デイジタルデータ）をテレビジヨン２に内蔵されている不揮発性メモリ６から読み出し、当該各調整データをテレビジヨン２の画歪補正部７に供給する。
【００１３】
画歪補正部７は不揮発性メモリ６から読み出された各調整項目についての各調整データをアナログデータに変換し、当該各調整データに応じて、テレビジヨン２の画歪みを調整するための複数の測定点が設定された調整検査用画像を補正しテレビジヨン２の表示画面８に表示させる。調整検査用画像が表示されたこの表示画面８をカメラ９によつて撮影し、カメラ９によつて撮影された画像は画歪調整検査装置１の画像処理部４に供給される。
【００１４】
画歪調整検査装置１では、画像処理部４がカメラ９より供給される画像を処理し、ＣＰＵ３は画像処理部４より得られる画像データを基に各測定点の２次元座標データを計測し、この計測結果としての座標データを用いて上述の複数の調整項目の調整データの値を演算し、各調整項目についての演算結果が調整項目毎に決められている所定の規格値に適合しているか否かを判定する。
【００１５】
ＣＰＵ３は、規格外と判定した調整項目について、規格に適合すると予測される調整データを他の既に規格に適合した調整項目についての調整データと共にバスインタフエース５を介してテレビジヨン２の画歪補正部７に供給する。画歪補正部７はこの各調整データをアナログデータに変換し、当該各調整データに応じて調整検査用画像を補正し表示画面８に表示させる。
【００１６】
このように、画歪調整検査装置１は、カメラ９を通じて得られる調整検査用画像を画像処理部４によつて処理して得られる画像データを基に各測定点の２次元座標データを計測し、当該計測結果を用いて各調整項目の調整データの値を演算し、各調整項目についての演算結果がそれぞれ所定の規格値に適合するまで上述の処理を繰り返す。この結果、各調整項目についての最適調整データ（規格に適合した調整データ）が得られると、ＣＰＵ３は各調整項目についての最適調整データをバスインタフエース５を介してテレビジヨン２の不揮発性メモリ６に記録し、画歪みに関する調整を終了する。
【００１７】
以下、画歪調整検査装置１の動作を図２〜図６を用いて具体的に説明する。
まず画歪調整検査装置１のＣＰＵ３は、ステツプＳＰ１より動作を開始し、ステツプＳＰ２において、不揮発性メモリ６から読み出した画歪みに対する複数の調整項目の調整データ（初期データ）に応じて調整検査用画像が表示された表示画面８をカメラ９で撮影し画像処理部４で処理して得られた画像データより、調整検査用画像に設定されている63箇所の測定点の２次元座標データを計測する。
【００１８】
ここでこの実施例の場合、調整検査用画像として、図３に示すように、表示画面８の縦方向に７本のライン、横方向に９本のラインで構成される格子状の画像を用い、縦方向のラインと横方向のラインとが交差する６３点（図中黒塗りで示す点で表示画面８に表示されるわけではない）を測定点とし、この６３点の２次元座標データを計測する。またこの調整検査用画像において、最左列上端の測定点の座標を（ｘ１１、ｙ１１）、最右列下端の測定点の座標を（ｘ９７、ｙ９７）とする。
【００１９】
次にＣＰＵ３はステツプＳＰ３において、ステツプＳＰ２において計測した２次元座標データを用いて画歪みについての複数の調整項目の調整データの値を演算する。続いてＣＰＵ３はステツプＳＰ４において、ステツプＳＰ３で得られた演算結果に基づき全ての調整項目について、これらの演算結果がそれぞれ各調整項目毎に決められている所定の規格値に適合するか否かを判定する。
【００２０】
ここで実際上、画歪調整検査装置１は、ステツプＳＰ２及びステツプＳＰ３における各調整項目の調整を図４に示すフローチヤートに従つて実行している。
まずＣＰＵ３はステツプＳＰ１１より画歪みの調整を開始し、ステツプＳＰ１２において、ステツプＳＰ２で計測した63点の測定点の座標データに基づいて、第１の調整項目として調整検査用画像の縦方向における中心点（ＶＣＥＮＴＥＲ）の値が所定の規格値に適合しているか否かを判定する。ここで調整検査用画像の縦方向における中心点（ＶＣＥＮＴＥＲ）は、（ｙ５１−ｙ５７）／２で求められる。
【００２１】
ステツプＳＰ１２において否定結果を得るとＣＰＵ３はステツプＳＰ１３に進み、肯定結果得るとステツプＳＰ１４に進む。ＣＰＵ３はステツプＳＰ１３において、調整検査用画像の縦方向における中心点（ＶＣＥＮＴＥＲ）が所定の規格値に近づくと予測されるデータに変換しステツプＳＰ１４に進む。
【００２２】
ステツプＳＰ１４において、ＣＰＵ３は、ステツプＳＰ２で計測した６３点の座標データに基づいて、第２の調整項目として調整検査用画像の横方向における中心点（ＨＣＥＮＴＥＲ）の値が所定の規格値に適合しているか否かを判定する。ここで調整検査用画像の横方向における中心点（ＨＣＥＮＴＥＲ）は、（ｘ１４−ｘ９４）／２で求められる。
ステツプＳＰ１４において否定結果を得るとＣＰＵ３はステツプＳＰ１５に進み、肯定結果を得るとステツプＳＰ１６に進む。ＣＰＵ３はステツプＳＰ１５において、調整検査用画像の横方向における中心点（ＨＣＥＮＴＥＲ）の値が所定の規格値に近づくと予測されるデータに変換しステツプＳＰ１６に進む。
【００２３】
ステツプＳＰ１６において、ＣＰＵ３はステツプＳＰ２で計測した６３点の座標データに基づいて、第３の調整項目として調整検査用画像の横方向サイズ（ＨＳＩＺＥ）が所定の規格値に適合しているか否かを判定する。ここで調整検査用画像の横方向サイズ（ＨＳＩＺＥ）は、ｘ１４−ｘ９４で求められる。
ステツプＳＰ１６において否定結果を得るとＣＰＵ３はステツプＳＰ１７に進み、肯定結果を得るとＣＰＵ３はステツプＳＰ１８に進む。ＣＰＵ３はステツプＳＰ１７において、調整検査用画像の横方向サイズ（ＨＳＩＺＥ）が所定の規格値に近づくと予測されるデータに変換しステツプＳＰ１８に進む。
【００２４】
ステツプＳＰ１８において、ＣＰＵ３はステツプＳＰ２で計測した６３点の座標データに基づいて、第４の調整項目として調整検査用画像の周辺上部糸巻歪み及び周辺下部糸巻歪み（ＰＩＮＡＭＰ）が所定の規格値に適合しているか否かを判定する。ここで周辺上部糸巻歪み及び周辺下部糸巻歪みの調整は、図５（Ａ）に示すようにｘ＋ｘ′、ｙ＋ｙ′を最小にする調整のことである。
【００２５】
ステツプＳＰ１８において否定結果を得るとＣＰＵ３はステツプＳＰ１９に進み、肯定結果を得るとＣＰＵ３はステツプＳＰ２０に進む。ＣＰＵ３はステツプＳＰ１９において、調整検査用画像の周辺上部糸巻歪み及び周辺下部糸巻歪み（ＰＩＮＡＭＰ）の値が所定の規格値に近づくと予測されるデータに変換しステツプＳＰ２１に進む。
【００２６】
ステツプＳＰ２０において、ＣＰＵ３はステツプＳＰ２で計測した６３点の座標データに基づいて、第５の調整項目として調整検査用画像の周辺部コーナー糸巻歪み（ＣＯＲＮＥＲＰＩＮ）が所定の規格値に適合しているか否かを判定する。すなわち図５（Ａ）に示すように、調整検査用画像の周辺部コーナー糸巻歪み（ＣＯＲＮＥＲＰＩＮ）の調整はｘ＋ｙ及びｘ′＋ｙ′を最小にする調整である。
【００２７】
ステツプＳＰ２０において否定結果を得るとＣＰＵ３はステツプＳＰ２２に進み、肯定結果を得るとステツプＳＰ２１に進む。ＣＰＵ３はステツプＳＰ２２において、調整検査用画像の周辺部コーナー糸巻歪み（ＣＯＲＮＥＲＰＩＮ）の値が所定の規格値に近づくと予測されるデータに変換しステツプＳＰ２１に進む。
【００２８】
ここでステツプＳＰ１８において否定結果を得た場合には、ステツプＳＰ２０の調整項目についての判定を行わずにステツプＳＰ１９を介して直接第６の調整項目についての判定を行うステツプＳＰ２１に進んでいるのは、調整検査用画像の周辺上部糸巻歪み及び周辺下部糸巻歪み（ＰＩＮＡＭＰ）の調整を、調整検査用画像の周辺部コーナー糸巻歪み（ＣＯＲＮＥＲＰＩＮ）の調整に優先させていることを表している。
従つてステツプＳＰ１８において否定結果を得た場合には、ステツプＳＰ２０の第５の調整項目について判定する必要がなくなるので、このステツプＳＰ２０における判定処理分だけ調整項目の調整時間を短縮することができる。
【００２９】
続いてステツプＳＰ２１において、ＣＰＵ３はステツプＳＰ２で計測した６３点の座標データに基づいて、第６の調整項目として調整検査用画像の縦方向サイズ（ＶＳＩＺＥ）の値が所定の規格値に適合しているか否かを判定する。ここで調整検査用画像の縦方向サイズ（ＶＳＩＺＥ）は、ｙ５１−ｙ５７で求められる。
ステツプＳＰ２１において否定結果を得るとＣＰＵ３はステツプＳＰ２３に進み、肯定結果を得るとステツプＳＰ２４に進む。ＣＰＵ３はステツプＳＰ２３において、調整検査用画像の縦方向サイズ（ＶＳＩＺＥ）の値が所定の規格値に近づくと予測されるデータに変換しステツプＳＰ２４に進む。
【００３０】
ステツプＳＰ２４において、ＣＰＵ３はステツプＳＰ２で計測した６３点の座標データに基づいて、第７の調整項目として調整検査用画像の垂直直線性歪み（ＶＬＩＮＥＡＲＩＴＹ）の値が所定の規格値に適合しているか否かを判定する。ここで垂直直線性歪み（ＶＬＩＮＥＡＲＩＴＹ）の調整は、図５（Ｂ）に示すように、調整検査用画像の垂直方向における上部の直線性ｘと下部の直線性ｙとを等しくする調整である。
【００３１】
ステツプＳＰ２４において否定結果を得た場合にはステツプＳＰ２５に進み、肯定結果を得た場合にはステツプＳＰ２６に進む。ＣＰＵ３はステツプＳＰ２５において、垂直直線性歪み（ＶＬＩＮＥＡＲＩＴＹ）の値が所定の規格値に近づくと予測されるデータに変換しステツプＳＰ２７に進む。
【００３２】
ステツプＳＰ２６において、ＣＰＵ３はステツプＳＰ２で計測した６３点の座標データに基づいて、第８の調整項目として調整検査用画像のＳ字歪み（ＳＣＯＲＲＥＣＴＩＯＮ）の値が所定の規格値に適合しているか否かを判定する。ここでＳ字歪み（ＳＣＯＲＲＥＣＴＩＯＮ）の調整は、図５（Ｃ）に示すように、調整検査用画像の垂直方向における中央部の直線性ｘと周辺部における直線性ｙとを等しくする調整である。
【００３３】
ステツプＳＰ２６において否定結果を得た場合ＣＰＵ３はステツプＳＰ２８に進み、肯定結果を得た場合にはステツプＳＰ２７に進む。ＣＰＵ３はステツプＳＰ２８において、Ｓ字歪み（ＳＣＯＲＲＥＣＴＩＯＮ）の値が所定の規格値に近づくと予測されるデータに変換しステツプＳＰ２７に進み画歪みについての各調整項目の演算及び判定処理を終了する。
【００３４】
ここでステツプＳＰ２４において否定結果を得た場合には、ステツプＳＰ２６における第８の調整項目についての判定を行わずにステツプＳＰ２５を介して直接ステツプＳＰ２７に進んでいるのは、調整検査用画像の垂直直線性歪み（ＶＬＩＮＥＡＲＩＴＹ）の調整を、Ｓ字歪み（ＳＣＯＲＲＥＣＴＩＯＮ）の調整に優先させていることを表している。
従つてステツプＳＰ２４において否定結果を得た場合には、ステツプＳＰ２６における第８の調整項目について判定する必要がなくなるので、このステツプＳＰ２６における判定処理分だけ調整項目の調整時間を短縮することができる。
【００３５】
続いてＣＰＵ３はステツプＳＰ４（図２）において、ステツプＳＰ２及びステツプＳＰ３（図３に示すフローチヤート）における各調整項目についての判定結果を基に全ての調整項目の調整データの値がそれぞれ所定の規格値に適合しているか否かを判定する。ステツプＳＰ４において、ＣＰＵ３は全ての調整項目の調整データの値が規格値に適合していないと判定した場合には、ステツプＳＰ５からステツプＳＰ６に進み、規格値に適合していないと判定された調整項目において規格値に近づくと予測されるデータに変換された調整データと、規格値に適合した調整項目についての調整データとを全てバスインタフエース５を介してテレビジヨン２の画歪補正部７に供給しステツプＳＰ２に戻る。
【００３６】
すなわちステツプＳＰ５において、全ての調整項目の調整データの値がそれぞれ所定の規格値に適合するまでＣＰＵ３はステツプＳＰ２及びステツプＳＰ３の処理（図３に示すフローチヤート）を実行し、ステツプＳＰ５において、全ての調整項目の調整データの値が規格値に適合したと判定すると、ＣＰＵ３はステツプＳＰ７に進み、所定の規格値に適合した全調整項目についての調整データをバスインタフエース５を介してテレビジヨン２の不揮発性メモリ６に書き込みステツプＳＰ８において画歪みについての処理を終了する。
【００３７】
以上の構成において、画歪調整検査装置１では、不揮発性メモリ６から読み出した複数の調整項目についての調整データに応じて調整検査用画像が表示される表示画面８をカメラ９で撮影し画像処理部４で処理して得られた画像データより、調整検査用画像に設定されている63箇所の測定点の２次元座標データを計測し、この２次元座標データを用いて画歪みについての複数の調整項目全てについて調整データの値を演算し、当該演算結果に基づき全ての調整項目の調整データの値がそれぞれ所定の規格値に適合するか否かを判定し、調整項目の調整データの値が全て所定の規格値に適合した場合、当該時点での各調整項目の調整データを不揮発性メモリ６に記録し、規格値に適合しない調整項目があつた場合には、当該時点での全ての調整項目の調整データを画歪補正部７に供給し全ての調整項目の調整データの値が規格値に適合するまで全ての調整項目について一括して、計測、演算及び判定を繰り返す。
【００３８】
従つてこの画歪調整検査装置１では、全ての調整項目を一度に所定の規格値に適合させることができる。また各調整項目について優先順位をつけたことにより一段と調整時間を短縮することができると共に調整結果を向上させることができる。さらに互いに影響を与え合う調整項目を有する被調整機器に対しては特に有効であり、調整時間の短縮化及び調整結果の向上を実現できる。
【００３９】
以上の構成によれば、画歪みを調整するための全ての調整項目に対して、計測処理、演算処理及び判定処理を１つの処理サイクルとして全ての調整項目の調整データが規格値に適合するまで一括して調整するようにしたことにより、全ての調整項目の調整データの値を一度に所定の規格値に適合させることができ、かくして調整時間を短縮し得ると共に調整結果を向上し得る画歪調整検査装置１及び画歪調整検査方法を実現できる。
【００４０】
なお上述の実施例においては、画質を決定する一要素である画歪みの調整項目として８つの調整項目を調整する場合について述べたが、本発明はこれに限らず、平行四辺形歪み調整、左部中間ピン歪み調整、右部中間ピン歪み調整及び水平直線性歪み調整等他の調整項目を画歪みの調整項目として加えてもよい。
【００４１】
ここで平行四辺形歪み調整は、図６（Ａ）に示すように、中心線と点Ｅ及びＧとを結ぶ線分ＥＧとで形成される角度θを調整するものである。また左部中間ピン歪みは、図６（Ｂ）において、４ｘ／ＡＢ＋ＣＤで求められ、この値を所定の規格に適合させるものであり、右部中間ピン歪みは、図６（Ｂ）において、４ｙ／ＡＢ＋ＣＤで求められ、この値を所定の規格に適合させるものである。
さらに水平直線性歪み調整は、図６（Ｃ）において、水平方向における左辺の直線性ｘと右辺の直線性ｙとを等しくする調整である。
【００４２】
また上述の実施例においては、画質を決定する要素として画歪みを調整する場合について述べたが、本発明はこれに限らず、画質を決定する要素として色バランス等、種々適用することができる。
さらに上述の実施例においては、被調整機器としてテレビジヨン２に画歪調整検査装置１を適用した場合について述べたが、本発明はこれに限らず、画歪調整検査装置１を適用する被調整機器としてこの他種々の被調整機器に適用し得る。
【００４３】
さらに上述の実施例においては、調整検査用画像の測定点を６３箇所に設定した場合について述べたが、本発明はこれに限らず、測定点を増減してもよい。
さらに上述の実施例においては、縦方向に７本、横方向に９本のラインで構成される格子状の画像を調整検査用画像として用いた場合について述べたが、本発明はこれに限らず、調整検査用画像としてこの他種々の調整検査用画像を適用し得る。
さらに上述の実施例においては、縦方向に７本、横方向に９本のラインで構成される格子状の画像の６３箇所の交点を測定点として用いた場合について述べたが、本発明はこれに限らず、ドツド信号等を測定点として用いてもよい。
【００４４】
さらに上述の実施例においては、調整項目の順番を図４に示すフローチヤートに示す順序で調整した場合について述べたが、本発明はこれに限らず、調整項目の順番を変えて各調整項目を調整するようにしてもよい。
さらに上述の実施例においては、調整項目に優先順位をつけた場合について述べたが、本発明はこれに限らず、優先順位をつけなくてもよく、また優先順位を高くする調整項目を他の調整項目に設定してもよい。
【００４５】
さらに上述の実施例においては、画質を決定する一要素である画歪みだけを調整する場合について述べたが、本発明はこれに限らず、画質を決定する一要素として色バランス等を調整してもよく、またこれらの画質を決定する要素を複数組み合わせて順に調整するようにしてもよい。
【００４６】
さらに上述の実施例においては、テレビジヨン２の画質を調整するための調整検査用画像を撮影する撮影手段としてカメラ９を用いた場合について述べたが、本発明はこれに限らず、撮影手段としてこの他種々の撮像手段を適用し得る。
【００４７】
【発明の効果】
上述のように本発明によれば、所定の被調整機器の画歪みに対する全ての調整項目のうち、特定の第１及び第２の調整項目についてはその優先順序に従い、先に調整する第１の調整項目についての調整データの値が規格値に適合しないと判定すると、次の第２の調整項目についての調整データの値に対する判定を行わないようにして、全ての調整項目の調整データの値が規格値に適合するまで一括して調整するようにしたことにより、全ての調整項目の調整データの値を一度に所定の規格値に適合させることができ、かくして調整項目の調整時間を短縮しかつ調整項目に対する調整結果を向上し得る画歪調整検査装置及び画歪調整検査方法を実現し得る。
【図面の簡単な説明】
【図１】本発明の実施例による画歪調整検査装置及び被調整機器としてのテレビジヨンの概略構成を示すブロツク図である。
【図２】画歪調整検査装置の動作の説明に供するフローチヤートである。
【図３】調整検査用画像の説明に供する略線図である。
【図４】画歪調整検査装置における画歪みの調整の説明に供するフローチヤートである。
【図５】調整項目の説明に供する略線図である。
【図６】調整項目の他の例の説明に供する略線図である。
【符号の説明】
１……画歪調整検査装置、２……テレビジヨン、３……ＣＰＵ、４……画像処理部、５……バスインタフエース、６……不揮発性メモリ、７……画歪補正部、８……表示画面、９……カメラ。
【図１】
0003552129.tif 000002
【図３】
0003552129.tif 000003
【図２】
0003552129.tif 000004
【図４】
0003552129.tif 000005
【図５】
0003552129.tif 000006
【図６】
0003552129.tif 000007